(57)【要約】      （修正有）【課題】より安く、より簡素な方法で展示し、また、フェイス面やブランドマークなどを客が見やすいように、クラブが安定的に定位置に展示できるようにしたゴルフクラブの展示装置を提供する。【解決手段】フック部分２と、略円形状の斜め受け部４と、ウッドクラブのシャフトを挟む２面を受け止める方向規制部６，８と、シャフトを垂直方向に展示させるための垂直方向規制部１０とを針金によって作成する。【選択図】図１
2005157236.tif 000002
【特許請求の範囲】
【請求項１】
ゴルフ用のクラブヘッド部をフックするフック部材と、該フック部材を連結する連結部材とを別部材としたゴルフ用クラブの展示用支持装置に於いて、該フック部材を針金で作り、該クラブヘッドとシャフトを所定の方向に安定的に展示出来るように構成したことを特徴とするゴルフ用クラブの展示用支持装置。
【請求項２】
前期フック部材は前記クラブヘッドの当接面を、斜めに受ける「斜め受け部」と、前記クラブヘッドの展示方向を規制する「方向規制部」と前記シャフトを略垂直方向に規制するための「垂直方向規制部」より構成されていることを特徴とする特許請求の範囲第１項に示したゴルフ用クラブの展示用支持装置。
【請求項３】
前記針金に代え、針金状の構造素材を用いたことを特徴とする特許請求の範囲第１項に示したゴルフ用クラブの展示用支持装置。
【請求項４】
前記フック部材を前記連結部に溶接等によって、固定的に取り付けたことを特徴とする特許請求の範囲第１項に示したゴルフ用クラブの展示用支持装置。
【請求項５】
前記フック部材を前記連結部材に、半固定的に取り付けることが可能な可動取付部材を前記フック部材に構成したことを特徴とする特許請求の範囲第１項に示したゴルフ用クラブの展示用支持装置。
【請求項６】
前記針金を、ビニールコーティングし、前記フック部材に弾性を持たせ、前記クラブヘッドを設置時に余裕度をもたせると共に、傷つきにくくしたことを特徴とする特許請求の範囲第１項に示したゴルフ用クラブの展示用支持装置。
【発明の詳細な説明】
【発明の詳細な説明】
【発明の属する産業分野】
【０００１】ゴルフ用品などのスポーツ用品の展示・陳列用品に関する。
【背景技術】
【０００２】ゴルフ用クラブの陳列展示用支持装置としては、本出願人も「特公平４−４２９２５」を出願しているが、この出願を含め、これまでのものはグリップとシャフト部の２点を支持し、展示するものが主流であり、クラブヘッドを客が見やすい位置に展示するという点は、必ずしも考慮されていない。【０００３】  ウッドクラブは言うまでもなく、アイアンクラブもヘッド部は重いため、客が見やすい位置、すなわちヘッド部を上にして、グリップ部を下にして展示しようとすると不安定になった。従って、安定的に展示するためには、何らかの形で固定ないし規制する形での展示が必要であった。【０００４】  例えば、図４に示したような展示用支持装置が知られている。これは、２枚の板状部材を、一定間隔を置いて対抗的に構成し、この板状部材の切り込み部にシャフト部を停めて、図のようにウッドクラブを展示するようにしたものであるが、この展示用支持装置では客が素振りなどのためにクラブを取り出し、元に戻したとしてもウッドクラブのヘッド位置は思い思いの方向を向いて、店員が改めて整理する必要があった。
【発明が解決しようとする課題】
【０００５】従って、誰が置いてもクラブが一定方向に並び、安定的に展示されるためには、クラブヘッドの形状を考えた受け皿としてのフック部が必要となった。しかし、当然そのフック部は複雑な形状をとる。こうしたクラブは、通常複数個並べて展示される為、本出願人は、先に、「特願２００３−１２６７５２」でこのフック部を連結する連結部材を別部材で作る発明を提案した。
【０００６】  そしてフック部は、クラブヘッドを凸部として考えた時、凹部としてこの凸部にかみ合うような形状で作ることを提案した。こうした複雑形状を作るためゴムやシリコン樹脂などの弾性部材で作ることにし、鋳型による量産でこのフック部材を作るように提案した。
【０００７】  この特許出願後、実際に作成したゴルフ用クラブの展示用支持装置は、クラブヘッドを客が見やすく目立って、しかも店員があまり管理することなく展示でき、好評を博している。そこで本願では、もつと簡単な形状でフック部材を作り、より広く普及できるものを作ることが課題となった。「特願２００３−１２６７５２」で示したものはフック部材を型で作り、重厚な仕上がりとなっているため高級品を並べるゴルフ用具の専門店など展示用支持装置などコストをかけられるところには採用されるが、量販店などに置くためには、コスト的にも安く作れるものが必要であった。
【課題を解決するための手段】
【０００８】そこで本願では、「特願２００３−１２６７５２」で示したフック部材を構成している要素を改めて解析し、クラブヘッドの当接面を受けるにあたって、必ずしもフック部材の方でも面で受ける必要がないこと、線が作る形状によって面も受けられることに気が付いた。そこで、針金を使ってクラブヘッドとシャフトを所定の方向に安定的に展示できるゴルフクラブ用の展示装置を考えた。
【発明の具体的な実施例】
【０００９】以下具体的な実施例に基づき本発明を説明する。図１は本発明によるフック部材の１実施例の概観図であり、図１（ａ）はフック部材本体図、図１（ｂ）は、ウッドクラブを懸架した図である。（２）は針金で作ったフック部材、（４）は略円形状に作った「斜め受け部」（６）と（８）とはウッドクラブのシャフトを挟む２面を受け止める「方向規制部」（１０）はシャフトを垂直方向に展示させるための「垂直方向規制部」（１２）はウッドクラブ、（１３）はそのヘッド部、（１４）はそのフェイス面、（１６）はそのシャフトである。
【００１０】    第１図（ａ）において、このフック部材（２）は比較的太い針金で作り、ウッドクラブ（１２）のヘッド部（１３）のフック部材（２）との当接面を受けるために、略円形状に作った「斜め受け部」（４）を備えている。ヘッド部（１３）の当接面を円形の線で受けるが円形の内側は空間となっているため、その当接面がどのような凸形状となっていてもピッタリと受けることができる。
【００１１】  またウッドクラブ（１２）のヘッド部（１３）のフェイス面（１４）などを規制する「規制部」（６）（８）と、シャフト（１６）を略垂直方向に規制する半円形状の「垂直規制部」（１０）を持っている。
【００１２】  またこの略円形状の「斜め受け部」（４）は、垂直部（１８）（１９）に対して、直角方向ではなく少し角度（２０）をつけて構成し、第１図（ｂ）で見るようにウッドクラブ（１２）をこのフック部材（２）に懸架した時にはフェイス面（１４）が方向規制部（８）に、もう一つの面（２２）は方後期生部（６）に自重によって突き当たるようにしている。そのため、ウッドクラブ（１２）のヘッドの方向が誰が置いても略同一方向をとるようになっている。
【００１３】  図２は、図１のフック部材（２）にウッドクラブ（１２）を収める時の動きを動線（２４）で示したものであり、図３はそうして収めた時の実際の写真である。ウッドクラブ（１２）をフック部材（２）に懸架する時は、ヘッド部（１３）を少し持ち上げ垂直部（１８）（１９）の間をシャフト（１６）を通過させて、ヘッド部（１３）を円形状の「斜め受け部」（１４）上に置く。この「斜め受け部」（４）は水平方向に対し角度をつけて作っているためヘッド部は、この「斜め受け部」（４）上をすべり、シャフト（１６）方向に自重によって寄せられ「方向規制部」（６）（８）に突き当たるのである。この結果、図３の写真のようにウッドクラブ（１２）のヘッド部（１３）が所定の方向をとって安定的に展示されている。
【００１４】  この時、ウッドクラブ（１２）のシャフト部（１６）は円形状の「斜め受け部」（４）と方向規制部（６）（８）との接続点部分をテコの支点として垂直部（１８）（１９）の間隔を置くに進むように動く。そこで半円形状の垂直規制部（１０）に当たり、略垂直方向に展示されることになる。
【００１５】  図５は本発明によるフック部材の、他の実施例の写真で図６はこのフック部材にウッドクラブを懸架した時の写真で図６（ａ）と図６（ｂ）では写真の撮る方向が異なっている。
【００１６】  図５のフック部材（２５）とフック部材（３１）は、それぞれ預点部からカーブして手前の方に下りてくる「斜め受け部」（２６，３２）ウッドクラブのフラット面と当接する「方向規制部」（２８，３４）そしてシャフト部を垂直方向に規制する「垂直方向規制部」（３０，３６）とから構成されている。
【００１７】  フック部材（２５）をとって説明すると、このフック部材（２５）にウッドクラブ（４０）のヘッド部（４２）を懸架するとこのウッドクラブ（４０）の重さによって斜め受け部（２６）の上を写真手前の方にすべり、フラット面（４４）が方向規制部（２８）に当接し、ヘッド部（４２）は所定の方向、すなわちフラット面（４４）を手前に向けた方向で安定的に展示される。
【００１８】  この時、斜め受け部（２６）と方向規制部（２８）との接続部を支点とし、ウッドクラブ（４０）は図６（ａ）の写真で時計の針と同じ右回りの力が働くが、シャフト（４６）が垂直方向規制部（３０）に規制され、ウッドクラブ（４０）は、そのシャフトを垂直方向に安定的に展示されることになる。
【００１９】  フック部材（３１）も垂直方向規制部（３６）は垂直方向規制部（３０）と形は異なるがフック部材（２５）と同様の働きを持つ。（３８）はフック部材（２５，３１）を溶接によって固定的に連結した連結部材であるが、図６（ａ）はこの連結部材（３８）表側から撮った写真で、図６（ｂ）は裏側から撮った写真である。
【００２０】  ここでは懸架展示するウッドクラブ（４０）が傷つかない様にビニールチューブを針金にかぶせ、ビニールコーティングしている。また、このようにコーティングによる弾性保持によって懸架するウッドクラブの形状が多少変わっても形状の上での余裕度をもたせることによって適用できるようになった。
【００２１】  図７はアイアンクラブ用のフック部材の本発明による一実施例であり、図７（ａ）はフック部材、図７（ｂ）はアイアンクラブを懸架した写真である。（５０）はフック部材、（５２）は斜め受け部、（５４）は方向規制部（５６）は垂直方向規制部、（５８）はアイアンクラブ（６０）はヘッド部（６２）はシャフトである。
【００２２】  アイアンクラブ（５８）のヘッド部（６０）を、フック部材（５０）の斜め受け部（５２）と方向規制部（５４）の間に懸架するとヘッド部（６０）は写真手前の方にすべり、かつシャフト（６２）の方向に自重で引っ張られる。一方で、方向規制部（５４）によって規制されるため、ヘッド部（６０）は一定の方向に安定的に展示されることになる。
【００２３】  この時、図７において、シャフト（６２）には時計の針の反対回り、左回りの力が働くが、垂直方向規制部（５６）によって規制され、シャフト（６２）は写真のように略垂直方向に展示される。
【００２４】  ここでも、フック部材（５０）は針金を素材とし、ビニールチューブでビニールコーティングしているため、これが緩衝材となってアイアンクラブ（６２）をフック部材（５０）に懸架した時傷がつかず、アイアンクラブの形状の、多少の変化にかかわらず、安定的に展示できるようにしている。ビニールコーティングについては、ビニールチューブで被覆する他、その他樹脂や布などのコーティング方法も考えられる。
【００２５】  フック部材を連結部材に固定する方法としては、図５で示した実施例では水平に渡す板状の連結部材に一定間隔を置いて溶接で固定する方法を示したが、図８や図９のような可動固定部材用意し、半固定的に取り付けることも可能である。
【００２６】  例えば、図１（ａ）に示したフック部材（２）を連結部材に取り付けることを考えた時の可動固定部材の一実施例が図８に示したものである。（６４）は連結部材、（６６）は可動固定部材、（６８）はフック部材との接合部、（７０）は逃げ部、（７２）は連結部材に差し込むための案内部である。可動固定部材（６６）はゴムやシリコン樹脂等の弾性部材で作り、接合部（６８）、逃げ部（７０）、案内部（７２）を形作っている。
【００２７】この可動固定部材（６６）の接合部（６８）に、フック部材（２）の垂直部（１８，１９）をはめ込み固定する。その上で、連結部材（６４）に案内部（７２）を通して所定の位置に半固定する。この可動固定部材（６６）を使えばいくつかのフック部材をこのように連結部材（６４）に取り付けることが可能であり、その取付位置も展示する側の目的に添って任意の位置に設定することが可能である。
【００２８】  図９も連結部材（７４）に可動固定部材（７６）を使って図５に示したフック部材（２５）を固定した時の本発明による一実施例であり、（７８）はフック部材（２５）を収めるための切り口部、（８０）は連結部材（７４）に挿入するための案内部である。
【００２９】  図８、図９に示した可動固定部材（６６，７６）は、図で見るように型で作るとしても構造が簡単なため低コストで作成することが可能である。針金の方も折り曲げ用の治具を作って製作するようにすれば、手間はあまりかからず、素材自体は元々安いためフック部材としてのコストは「特願２００３−１２６７５２」示したものとは異なりかなり安く作ることが出来る。また、針金については針金と同じように曲げることが可能でかつ同等の強度をもつ、線材としての構造素材であれば良い。
【発明の効果】
【００３０】以上本発明よるフック部材を針金ないし針金状の構造素材によって作り、懸架したクラブヘッドとシャフトを所定の方向に安定的に展示できるように構成したゴルフ用クラブの展示用支持装置は、
▲１▼  ゴルフ用クラブを展示した時ヘッド部を上にしてゴルフクラブのメーカー名やブランド名を客がはっきり分かるように展示することが可能である。
▲２▼  また、展示用支持装置から客がクラブを手に取り素振りなどをして元に戻した時にも一定の方向で展示できるため、店員の管理が簡単にできる。
▲３▼  ゴルフ用クラブの展示装置の主役はクラブである。展示用支持装置は脇役である。フック部を重厚に作り、主役を目立たせるという方法もあるが、針金を素材として使い、脇役に徹し主役のクラブを目立たせることを可能にした。
▲４▼  フック部材は針金を主要素材として使い、可動固定部材も安く出来るため全体としてのコストを安く作ることができた等の効果がある。
なお、発明の具体的な実施例で示したものは一実施例であり、本発明はこれらの実施例に限定されるものではない。
【図面の簡単な説明】
【００３１】
【図１】は、本発明によるフック部材の一実施例の概観図で、第１図（ａ）はフック部材、第１図（ｂ）はウッドクラブを懸架した時の図である。
【図２】は、
【図１】のフック部材にウッドクラブを懸架する時の動作を示す動線図である。
【図３】は、
【図１】のフック部材の試作品にウッドクラブを懸架した時の写真図である。
【図４】は、従来のゴルフ用クラブの展示用支持装置の一実施例図である。
【図５】は、本発明によるゴルフ用クラブの、展示用支持装置の他の実施例の試作品の写真図である。
【図６】は、
【図５】に示した展示用支持装置にウッドクラブを展示した時の写真図であり、
【図６】（ａ）と
【図６】（ｂ）はそれぞれフック部材を取り付けた側から撮った写真と反対側から撮った写真である。
【図７】は、本発明によるアイアンクラブ用の、展示用支持装置のフック部材の試作品の写真図であり
【図７】（ａ）はフック部材、
【図７】（ｂ）はフック部材にクラブを懸架した時の写真である。
【図８】と
【図９】は、本発明によるフック部材を連結部材に固定するための可動固定部材の実施例図であり、
【図８】は、
【図１】のフック部材用のそれであり、
【図９】は、
【図５】のフック用部材のそれである。２，２５，３１，５０はフック部材  ４，２６，３２，５２は斜め受け部  ６，８，２８，３４，５４は方向規制部  １０，３０，３６，５６は垂直方向規制部
【図１】
2005157236.tif 000003
【図２】
2005157236.tif 000004
【図３】
2005157236.tif 000005
【図４】
2005157236.tif 000006
【図５】
2005157236.tif 000007
【図６】
2005157236.tif 000008
【図６】
2005157236.tif 000009
【図７】
2005157236.tif 000010
【図８】
2005157236.tif 000011
【図９】
2005157236.tif 000012
【手続補正書】
【提出日】平成16年3月24日(2004.3.24)
【手続補正１】
【補正対象書類名】明細書
【補正対象項目名】００３１
【補正方法】変更
【補正の内容】
【００３１】
【図面の簡単な説明】
【図１】は、本発明によるフック部材の一実施例の概観図で、第１図（ａ）はフック部材、第１図（ｂ）はウッドクラブを懸架した時の図である。
【図２】は、図１のフック部材にウッドクラブを懸架する時の動作を示す動線図である。
【図３】は、図１のフック部材の試作品にウッドクラブを懸架した時の写真図である。
【図４】は、従来のゴルフ用クラブの展示用支持装置の一実施例図である。
【図５】は、本発明によるゴルフ用クラブの、展示用支持装置の他の実施例の試作品の写真図である。
【図６】は、図５に示した展示用支持装置にウッドクラブを展示した時の写真図であり、図６（ａ）と図６（ｂ）はそれぞれフック部材を取り付けた側から撮った写真と反対側から撮った写真である。
【図７】は、本発明によるアイアンクラブ用の、展示用支持装置のフック部材の試作品の写真図であり図７（ａ）はフック部材、図７（ｂ）はフック部材にクラブを懸架した時の写真である。
2005157236.tif 000013
【符号の説明】
２，２５，３１，５０はフック部材
４，２６，３２，５２は斜め受け部
６，８，２８，３４，５４は方向規制部
１０，３０，３６，５６は垂直方向規制部
【手続補正２】
【補正対象書類名】図面
【補正対象項目名】全図
【補正方法】変更
【補正の内容】
【図１】
2005157236.tif 000014
【図２】
2005157236.tif 000015
【図３】
2005157236.tif 000016
【図４】
2005157236.tif 000017
【図５】
2005157236.tif 000018
【図６】
2005157236.tif 000019
【図７】
2005157236.tif 000020
【図８】
2005157236.tif 000021
【図９】
2005157236.tif 000022